(57)【要約】  本発明は、変流器の筐体（１２）に導体（１０）を取り外し可能に固定するためのデバイスに関する。デバイスは、変流器の筐体（１２）に配置される保持要素（１６）を貫通する締結要素（１８）を備え、締結要素（１８）は、少なくとも部分的に導体（１０）の表面上に配置され、変流器の筐体（１２）上に前記導体（１０）を固定した状態に維持する。本発明は、固定時に、締結要素（１８）が導体（１０）の周囲にループ状に配置されることを特徴とする。【選択図】図１
2013514648.tif 000002
【特許請求の範囲】
【請求項１】
変流器の筐体（１２）及び締結要素（１８）を備えるデバイスであって、
前記変流器の筐体（１２）は、前記変流器の筐体（１２）に導体（１０）が取り外し可能及び固定可能に構成され、
前記変流器の筐体（１２）は、前記変流器の筐体（１２）上に配置される保持要素（１６）を有し、
前記締結要素（１８）は、前記保持要素（１６）を通過するように配置され、
前記締結要素（１８）は、少なくとも部分的に前記導体（１０）の表面上に配置され、前記変流器の筐体（１２）上に前記導体（１０）を固定した状態に維持し、
前記締結要素（１８）は、前記導体を固定した状態で、前記導体（１０）の周辺領域にループ状に配置される
デバイス。
【請求項２】
前記締結要素（１８）は、第１端部（２２）及び第１端部（２２）と対向するように設けられた第２端部（２４）とを有し、
前記第１端部（２２）は、前記保持要素（１６）に設けられた第１開口部（２０）に挿入される請求項１に記載のデバイス。
【請求項３】
前記第１端部（２２）は、前記第２端部（２４）が挿入される開口（２６）を有する請求項２に記載のデバイス。
【請求項４】
前記第２端部（２４）は、前記保持要素（１６）に設けられた第２開口部（２８）に挿入される請求項２に記載のデバイス。
【請求項５】
ラッチ機構（３０）が、第１端部及び（２２）及び第２端部（２４）の少なくとも一方に設けられる請求項４に記載のデバイス。
【請求項６】
前記第１端部（２２）の前記第１開口部（２０）からの解放、及び、前記第２端部（２４）の第２開口部（２８）からの解放の少なくとも一方のための操作要素（３２）が前記保持要素（１６）に設けられている請求項２から５の何れか一項に記載のデバイス。
【発明の詳細な説明】
【技術分野】
【０００１】
本発明は、締結要素を使用して、変流器の筐体に導体を取り外し可能に取り付けるためのデバイスに関する。締結要素は、導体を経由させる必要があるため、導体が変流器に取り付けられる際には、締結要素が少なくとも部分的に、導体の表面上に配置される。
【背景技術】
【０００２】
導体は通常、変流器の筐体に設けられた開口部を貫通するように設置される。変流器の筐体に配置された２つの保持要素に周設される２つのネジ又はねじ込みピンを使用して、導体が変流器の筐体上に取り付けられる。締結するために、ネジ及び／又はねじ込みピンは、その断面が導体の表面に接触するまで、導体方向への単純な回転動作により保持要素内部で回転される。ネジ及び／又はねじ込みピンを継続して回転させることにより、導体を変流器の筐体に固定することができる。
【０００３】
しかしながら、導体を固定するためにネジ及び／又はねじ込みピンを、相対的に長い距離を移動させなければならず、それには、単純な回転動作を続ける必要があるため、長い時間及びかなりの力を必要とし、特に、多数の変流器筐体上に導体を固定する場合には、多大な労力を要する。
【発明の概要】
【発明が解決しようとする課題】
【０００４】
本発明は、上記のような問題に鑑みて、より単純で迅速に取り付けを行うことが可能となる、導体を変流器筐体上に固定するためのデバイスを提供する。
【課題を解決するための手段】
【０００５】
上記の課題を解決する本発明の特徴は、請求項１に記載されている。その他の本発明の有益な設計については、従属項に記載されている。
【０００６】
導体を変流器の筐体に固定するための本発明に係るデバイスは、締結要素を有し、導体が変流器の筐体に固定されるときに、締結要素は導体の表面に少なくとも部分的に配置される。締結要素は、導体が固定されるときに、導体の周囲を囲むようにループ状に配置される。
【０００７】
保持要素は、望ましくは、フランジ形状に構成されて、変流器の筐体の外側の領域において、変流器上に配置される。本発明によれば、望ましくは、２つの保持要素が変流器筐体の両側に設けられて、締結要素を通過させるのに、第１保持要素だけではなく、第２保持要素も使用することができる。本発明によれば、保持要素に固定されるように挿入された締結要素を、導体の周囲にループ状に巻き付けるように配置することにより、導体を固定する。締結要素は、弾性を有する素材で細長い竿のような形状に形成されるため、可撓性を有する。締結要素は望ましくは、プラスチックで形成される。保持されている状態では、導体は締結要素の外側の領域に配置され、締結要素は、ループ形状に導体の側を向くように設置され、その位置に導体を保持する。そして、締結要素のループに導体が挿入され、このループの中に保持され、変流器の筐体に締結される。締結要素は、望ましくは、導体の長手方向の軸に垂直な方向に配置される導体を囲む領域の周囲を囲むように配置される。締結要素が、導体をループ状に囲むことにより、変流器の筐体を導体に固定することができ、容易に及び迅速に取り付けを行うことが可能となる。また、締結要素は、固定状態においてループ形状に設計されているので、導体の周囲領域の寸法に合わせて調整可能であり、導体をより強固に固定することが可能であり、導体の周囲領域の寸法に関わらず、この締結要素により導体が抜け落ちることなく導体を固定することができる。
【０００８】
本発明の有利な設計によれば、締結要素は、第１端部と、第１端部に対向する第２端部を有し、保持要素に設けられた第１開口部に第１端部が挿入される。それにより、締結要素を保持要素上で固定することができる。導体を固定するために、締結要素は望ましくは、その第１端部が開口部に保持され、導体の周辺領域でループ形状をなし、第２端部もまた開口部に保持される。本発明の別の望ましい実施形態では、第１端部が開口を有し、その開口を第２端部を通過させる。第２端部を第１端部の開口を通過させて、締結要素をループ状に導体の周りに配置することにより、導体を固定する。第１端部に設けられた開口に第２端部を挿入することができることから、導体を囲む領域の寸法に合わせて柔軟に締結要素を調整可能であり、導体を囲む領域の寸法にかかわらず、締結要素を使用して導体を強固に固定することが可能である。したがって、固定及び／又は設置を柔軟に行うことができる。例えば、締結要素は、ケーブルタイの形状に構成されていてもよい。
【０００９】
これに替えて、本発明の更なる別の望ましい実施形態によれば、第２端部を、保持要素に設けられた第２開口部を通過させてもよい。第１開口部及び第２開口部は、保持要素において、互いに同様な形状であることが望ましい。締結要素は、第１端部を第１開口部に挿入し、その後、第２端部が第２開口部に挿入可能なように、導体の周辺領域の周りをループ状に配置することが望ましい。これにより、第１端部のみでなく第２端部も保持要素に固定することができ、それにより、ユーザーにとって、導体を固定するためのデバイスの取り扱いが容易になる。
【００１０】
また、第１端部及び／又は第２端部に、ラッチ機構が設けられていることが望ましい。留め金として形成されてもよいラッチ機構は、締結要素の端部を開口部内に固定するのに使用することができ、このラッチ機構は、設けられたラッチ機構の数に応じて、開口部を通過した端部の配置を、導体を囲む領域のサイズに合わせて非常に柔軟に及び好適に調整することが可能になる。したがって、第１開口及び第２開口はそれぞれ、１つのフック要素を有することが望ましく、第１端部及び／又は第２端部のラッチ機構が、端部を所望の位置にラッチすることが可能となる。両方の端部がラッチ機構を有する場合、これら端部は、保持要素に設けられた２つの開口部に均等に挿入され、固定された状態において、締結要素に負荷が均等に掛かるようにすることができる。
【００１１】
本発明に係るデバイスを更に改良して取り扱えるようにするべく、本発明の望ましい設計では、第１端部を第１開口部から、及び／又は、第２端部を第２開口部から解放するための操作要素を、保持要素に設けてもよい。例えば、操作要素は、第１端部及び／又は第２端部をそれぞれ、第１開口部及び／又は第２開口部内に固定するべく、第１開口部及び／又は第２開口部内に設けられたフック要素を操作するのに使用されてもよい。例えば、操作要素を使用して、開口部内に設けられたフック要素を、端部に設けられたラッチ機構から解放してもよく、及び／又は、フック要素をラッチ機構から外すことができ、第１端部及び／又は第２端部を、第１開口部及び／又は第２開口部内で自由に移動及び／又はスライドさせることが可能となる。操作要素は、望ましくは、押しボタンの形状で設けられ、保持要素に配置される。このような操作要素を設けることにより、締結要素の設置を容易及び迅速に行うことができる。
【００１２】
本発明を、添付の図面を参照して、望ましい設計に基づいて更に詳細に説明する。
【図面の簡単な説明】
【００１３】
【図１】本発明に係る第１番目の設計によるデバイスを概略的に示した図である。
【図２】本発明に係る第２番目の設計によるデバイスを概略的に示した図である。
【図３】保持要素が断面で示されている図２に示した本発明に係るデバイスの概略上面図である。
【発明を実施するための形態】
【００１４】
図１には、本発明に係る第１設計によるデバイスが示されている。導体１０は、変流器の筐体１２に設けられた開口部１４を通過している。２つの締結要素１８が変流器筐体１２に配置され、締結される。この２つの締結要素１８は、変流器筐体１２の２つの側面側の領域にそれぞれ配置される保持要素１６を通過させることができる。図１に示す設計では、保持要素１６はそれぞれ、第１開口部２０を有し、締結要素１８がこの第１開口部を通過する。また、締結要素１８は、保持要素１６の開口部２０を通過する第１端部２２を有する。導体１０を変流器筐体１２に固定するためには、第１端部２２に対向するように設けられる締結要素１８の第２端部２４を、締結要素１８に設けられた開口２６に挿入する。図１には、締結要素１８の第２端部２４が、第１端部２２の開口２６にまだ挿入されていない状態が示されており、この状態では、導体１０は締結要素１８によってまだ固定されていない。締結要素１８は、望ましくは、ケーブルタイの形状に設計される。図には示されていないが固定された状態では、締結要素１８は、導体１０の周辺領域にループ状に周設される。
【００１５】
図２及び図３には、本発明に係る第２設計によるデバイスが示されており、導体１０は、変流器筐体１２に設けられた開口部１４に挿入されている。
【００１６】
締結要素１８が変流器筐体１２の両側に配置され、図２に示すように、導体１０の周辺領域の周りのループに導体１０が挿入されて締結された状態となり、導体１０が固定される。締結要素１８は、撓可性を有する材料で形成された細長い竿のような形状に設計されている。締結要素１８は第１端部２２及び第２端部２４を有し、第１端部は、保持要素１６に設けられた第１開口部２０に挿入され、第２端部２４は、保持要素１６に設けられた第２開口部２８に挿入される。複数のラッチ機構が留め金の形状で、第１端部２２及び第２端部２４において設計されており、ラッチ機構は開口部２０、２８に挿入されて、留め金３０に係止されてもよい図示されていないフック要素により、開口部２０、２８内でラッチされる。押しボタンの形状を有する操作要素３２は、締結要素１８をほどくために、例えば、保持部１６に設けられる。操作要素３０を操作すると、フック要素がラッチ機構から外れることにより、ラッチ機構３０が解放されて、締結要素１８の第１端部２２及び第２端部２４が、第１開口部２０及び第２開口部２８内で自由に動かせるようになる。
【００１７】
図３には、本発明に係る第２設計によるデバイスがより詳細に描かれており、変流器１２及び導体１０を上側から見た図であり、保持要素１６が断面図として示されている。図に示すように、操作要素３２は、保持要素１６内に設けられたスプリングアーム３４を捉えることができる。
【００１８】
図３には、締結要素１８が開口部２０、２８内で取り外せないような態様で固定されており、操作要素３２を使用して締結要素１８がその位置を保っている状態が示されている。変流器筐体１２の方向に操作要素３２を操作すると、操作要素３２がスプリングアーム３４によりラッチされて、その位置に保持されるので、締結要素１８が操作要素３２によって解放されて、開口部２０、２８内で自由に移動可能となる。ユーザーが操作要素３２を解放すると、スプリングアーム３４によって図３に示すような位置に操作要素３２が戻るため、締結要素１８の端部２２、２４は再び固定され、開口部２０、２８内で動かないようになる。このような機構により、締結要素１８を導体１０の周辺領域のサイズに合わせて柔軟に調整し固定することができ、周辺領域の周りに周設される締結要素１８の張力によって導体１０を所定位置に保持することができる。
【符号の説明】
【００１９】
１０：導体
１２：変流器筐体
１４：開口部
１６：保持要素
１８：締結要素
２０：第１開口部
２２：第１端部
２４：第２端部
２６：開口
２８：第２開口部
３０：ラッチ機構
３２：操作要素
３４：スプリングアーム
【図１】
2013514648.tif 000003
【図２】
2013514648.tif 000004
【図３】
2013514648.tif 000005
【国際調査報告】
2013514648.tif 000006
2013514648.tif 000007
2013514648.tif 000008
2013514648.tif 000009